(57)【要約】【課題】  充填された液体に臭いが移ることがなく、しかも自立的に形状を維持でき、さらに内部に空気を送り込むことなく、充填された液体のほぼ全量を排出可能なウォーターサーバー用ボトルを提供する。【解決手段】  底部（１１）と、底部（１１）の周縁から連続する胴部（１２）と、胴部（１２）の上端縁から中央部に向かって上向きに傾斜する肩部（１４）と、中央部に配置された筒状の首部（１３）とからなり、全体がＰＥＴ樹脂によって形成され、胴部（１２）には、上下方向に伸縮自在な蛇腹部（２１）を有し、且つ蛇腹部（２１）と底部（１１）との間には、底部（１１）に近づくに連れて先細りとなる裾絞り部（２４）を備える構造とする。【選択図】  図１
2010042859.tif 000002
【特許請求の範囲】
【請求項１】
底部と、該底部の周縁から連続する胴部と、該胴部の上端縁から中央部に向かって上向きに傾斜する肩部と、前記中央部に配設する筒状の首部とからなり、
全体がＰＥＴ樹脂によって形成されており、
前記胴部に、上下方向に伸縮自在な蛇腹部を有するウォーターサーバー用ボトル。
【請求項２】
底部（１１）と、該底部（１１）の周縁から連続する胴部（１２）と、該胴部（１２）の上端縁から中央部に向かって上向きに傾斜する肩部（１４）と、前記中央部に配設する筒状の首部（１３）と、からなり、全体がＰＥＴ樹脂によって形成されており、
前記胴部（１２）には、上下方向に伸縮自在な蛇腹部（２１）を有し、且つ該蛇腹部（２１）と前記底部（１１）との間には、底部（１１）に近づくに連れて先細りとなる裾絞り部（２４）を備えていることを特徴とするウォーターサーバー用ボトル。
【請求項３】
前記裾絞り部（２４）の高さは、前記蛇腹部（２１）の高さの６０％から８０％であることを特徴とする請求項２記載のウォーターサーバー用ボトル。
【請求項４】
前記肩部（１４）の表面には、複数のリブ（２３）が形成されていることを特徴とする請求項２または３記載のウォーターサーバー用ボトル。
【発明の詳細な説明】
【技術分野】
【０００１】
本発明は、ミネラルウォーターなどの各種液体が充填されるウォーターサーバー用ボトルに関する。
【背景技術】
【０００２】
近年の健康志向の高まりに連れて飲料水についての関心も高まっており、都市部を中心に飲用として水道水ではなく、各種ミネラルウォーターを用いる場合がある。ミネラルウォーターは、コンビニエンスストアなどで簡単に購入できるが、一本のボトルの容量は高々２リットル程度であり、消費量が多い場合には購入頻度も高くなり、費用や労力が増大する。そこで、家庭やオフィスにウォーターサーバーと呼ばれる装置を設置して、この装置に専用のボトルを取り付けて、いつでも簡単に良質の飲料水を得られるサービスが展開されている。このボトルは、交換頻度を減らすため大容量とすべきだが、交換時の取り扱いも考慮する必要があり、１０リットルから１５リットルの製品が広く普及している。
【０００３】
このようなウォーターサーバー（以下、サーバー）に使用されるボトルは、強度に優れたポリカーボネート樹脂を素材とすることが多かったが、この樹脂は変形性に乏しく、空のボトルを保管する際に大きなスペースが必要になる。さらにボトルに充填された液体をサーバーに供給する際は、ボトルの内部に空気を送り込む必要があるが、この空気に混じって雑菌が入り込んで水質を悪化させる恐れがある。そのため、より軟質の素材を用いたボトルも普及しており（特許文献１，２）、保管時や廃棄時には体積を縮小でき、さらに使用時は、液体の排出に伴って大気圧で自然に押し潰されるため、内部に空気を送り込む必要がなく、衛生面にも優れている。ただし、このような軟質のボトルは、液体が充填された際に自在に変形するため取り扱いが難しい。そこで段ボール箱と組み合わせたバッグインボックスと呼ばれる形態も開発されている。また、保管スペースを小さくできる折り畳み式の容器も提案されている（特許文献３）。
【特許文献１】特許第４０８４３４２号公報
【特許文献２】特許第４１１３８７１号公報
【特許文献３】特許第３３５４２７９号公報
【発明の開示】
【発明が解決しようとする課題】
【０００４】
上記した特許文献１は、ボトルの底部の外縁に鍔や爪を形成したことなどを特徴としており、上下を反転させてサーバーに組み込んだ際、この鍔や爪を周辺の支持具などに係止させて、ボトルの形崩れを防止している。また特許文献２は、飲料を充填する際の作業性を向上するため、ボトルの筒口部を支える係止部を設けたほか、ボトルの崩れを防ぐため周囲に支持枠を配置したことを特徴としている。このように、容器を軟質にする場合、その形崩れを防止する対策が必要になり、サーバーの構造が複雑化するなどの課題がある。さらに特許文献１および２のいずれも、ボトルの素材の例としてポリエチレン樹脂が挙げられている。この樹脂は柔軟性に優れているが、通常の環境下で若干の臭いがあり、ボトルの素材として使用した場合、内部の液体にもこの臭いが移り、飲用の際に違和感を与えることがある。
【０００５】
また特許文献３に記載されている折り畳み容器は、内部に液体を充填するまでの間、容積を縮小することで保管スペースが削減できる点などを特徴としており、側面に様々な折り目を形成した容器が開示されている。このような折り目を形成することで、ポリエチレン樹脂よりも硬質の素材を使用した場合でも、簡単に容積を縮小できるようになる。しかし、この文献による容器は、製造から液体を充填するまでの間、容積を縮小できることを目的としており、サーバーに取り付けられた際の挙動については、何らの言及もなく、内部の液体を円滑に排出できるか否かは不明である。
【０００６】
本発明はこうした実情を基に開発されたもので、充填された液体に臭いが移ることがなく、しかも自立的に形状を維持でき、さらに内部に空気を送り込むことなく、充填された液体のほぼ全量を排出可能なウォーターサーバー用ボトルの提供を目的としている。
【課題を解決するための手段】
【０００７】
本発明のウォーターサーバー用ボトルは、底部と、該底部の周縁から連続する胴部と、該胴部の上端縁から中央部に向かって上向きに傾斜する肩部と、前記中央部に配設する筒状の首部とからなり、全体がＰＥＴ樹脂によって形成されており、前記胴部に、上下方向に伸縮自在な蛇腹部を有する。
【発明の効果】
【０００８】
本発明は、ＰＥＴ樹脂を用いているので、液体を充填した際でも自立的に形状を維持でき、ボトルの変形を拘束する機能をサーバーなどに装備する必要がなく、装置の構造を簡素化でき、さらにポリエチレン樹脂のように液体に臭いが移ることもない。また、胴部に蛇腹部を有することにより、潰れやすさが向上している。
【発明を実施するための最良の形態】
【０００９】
本実施の形態のウォーターサーバー用ボトルは、底部と、該底部の周縁から連続する胴部と、該胴部の上端縁から中央部に向かって上向きに傾斜する肩部と、前記中央部に配設する筒状の首部とからなり、全体がＰＥＴ樹脂によって形成されており、前記胴部に、上下方向に伸縮自在な蛇腹部を有する。
【００１０】
本実施の形態のボトルは、一般的なボトルと同様、底部と胴部と肩部と首部で構成され、そのうち首部は、筒状に形成されており、ボトル内に液体を充填する際や、内部の液体を排出する際の流路として機能する。この首部は、通常の保管状態においてボトルの最上部に位置する。また底部は、首部の反対に位置しており、床面などに接触する平面状の部分である。次に胴部は、底部の周縁部全域から起立する壁状の部分であり、概ね垂直に延在しているが、底部との接続部には曲面を介在させてもよい。なお、この曲面区間についても、胴部の一部とみなす。そして肩部は、胴部の上部と首部の下部を結ぶ部分であり、胴部から首部に向かうに連れて、底部から遠ざかるように傾斜している。したがって肩部を側面から見ると、首部を頂点とする円錐形、あるいは角錐形になる。なお胴部と肩部との接続部にも曲面を介在させてもよいが、この曲面区間は肩部の一部とみなす。
【００１１】
本実施の形態のボトルを上方から見た場合、その形状は正方形、長方形、円形など自在だが、正方形などの場合、角部は、変形を容易にするため円弧を介在させて二面を滑らかに結ぶ。またボトル全体の素材としては、ＰＥＴ樹脂（ポリエチレンテレフタレート樹脂）を用いている。ＰＥＴ樹脂は常温において無臭であり、内部に充填された液体に臭いが移る恐れがなく、しかもポリエチレン樹脂よりも硬質であり、液体が充填された状態でも大きく変形することはなく、自立的に形状を維持できる。
【００１２】
本実施の形態のボトルの胴部は、単純な壁状ではなく、複数の蛇腹が並んだ蛇腹部が構成されている。蛇腹部は、一般的な蛇腹と同様、縦断面から見て胴部を「く」の字状に折り曲げたもので、ボトルの胴部を取り囲むように形成されている。これによってボトルの柔軟性が向上するため、大気圧で容積を縮小できるようになる。
【００１３】
蛇腹部は、胴部の全体に形成されていてもよいし、胴部の一部に形成することとしてもよい。本発明の一の実施の形態において、蛇腹部は、胴部の上から下までの全域ではなく、胴部の上方に形成する。この実施の形態において、蛇腹部よりも下には、底部に近づくに連れて断面積が次第に縮小する裾絞り部が形成されてもよい。
【００１４】
すなわち、一の実施の形態のウォーターサーバー用ボトルは、底部と、該底部の周縁から連続する胴部と、該胴部の上端縁から中央部に向かって上向きに傾斜する肩部と、前記中央部に配設する筒状の首部と、からなり、全体がＰＥＴ樹脂によって形成されており、前記胴部には、上下方向に伸縮自在な蛇腹部を有し、且つ該蛇腹部と前記底部との間には、底部に近づくに連れて先細りとなる裾絞り部を備えている。
【００１５】
このように裾絞り部は、垂直に延在するのではなく、裾絞り状に傾斜している。ただし蛇腹部との接続部などは、局地的に垂直に延在していても構わない。このように傾斜した裾絞り部を設けることで、この部分に作用する大気圧がボトルの中心に向かうため、内部の液体の排出に伴って、裾絞り部がボトルの内部に陥没するように変形していく。
【００１６】
本実施の形態のボトルは、これまでに記載したように、首部と肩部と胴部と底部で構成されるが、ウォーターサーバーに取り付けられた際は上下が反転しており、首部が下になり、底部が上を向いている。したがって肩部は、充填された液体を首部に送り込む重要な機能を有しているが、前記のように肩部は首部に向けて傾いているため、液体を確実に首部に流し込むことができる。
【００１７】
内部の液体の排出に伴ってボトルが押し潰される際は、ボトルが不規則に変形していく訳ではなく、液体の自重が作用しない液面よりも上の部分から徐々に変形していく。したがってウォーターサーバーにボトルを取り付けた場合、初期段階では、液面より上の部分が徐々に大気圧で押し潰されていく。
【００１８】
胴部に裾絞り部を有する実施の形態においては、初期段階では、液面よりも上の裾絞り部が徐々に大気圧で押し潰されていく。裾絞り部がほぼ押し潰された際は、液面が低下して蛇腹部に到達するため、蛇腹部も徐々に押し潰されていく。この際、押し潰された裾絞り部は、蛇腹部の内部に入り込むため、効率よく容積を縮小でき、最終的に蛇腹部が完全に押し潰された段階では、肩部と蛇腹部の周辺だけに空間が残る。
【００１９】
なお実際のボトルは、内部の密封やウォーターサーバーとの接続のため、首部の先端にキャップなどを取り付ける必要があるが、これらの点については従来と何らの相違もない。またボトルの変形などに影響を与えないならば、底部に吊り手を設けて、搬送時の利便性を向上することもできる。
【００２０】
胴部に裾絞り部を形成する場合に、裾絞り部の高さは、蛇腹部の高さの６０％から８０％としてもよい。胴部の全域に蛇腹部を形成せず、蛇腹部と底部との間に裾絞り部を形成した実施の形態では、ボトルが大気圧で押し潰れていく際、裾絞り部が蛇腹部の方に引き込まれていき、蛇腹部の内部の容積を削減する機能がある。裾絞り部が極端に短いと変形量も小さく、蛇腹部の内部に入り込むことが困難になり、また逆に極端に長いと、十分な蛇腹部を確保できなくなる。そのため、このような数値範囲にすると、最も効率よく容積を削減できることが判明している。なおこの数値は、内部に液体を充填していない自然な状態を基準としている。
【００２１】
本実施の形態のボトルは、肩部の表面には、複数のリブが形成されていてもよい。肩部は、ボトル内の液体を首部に誘導する機能があり、蛇腹部や裾絞り部の変形に引きずられて変形することは好ましくない。そこで肩部の表面にリブを形成して剛性を向上させることで、外力に対抗できるようになる。また、リブは、液体の排出を確実に行う機能も有する。なおリブとは、肩部を局地的に半円形状に隆起させて、これを線状に延在させたものを指しており、その方向や本数などは自在に決定できるが、首部を中心として放射状に配置するのが好適である。
【００２２】
以下、実施の形態のウォーターサーバー用ボトルについて図面を参照して説明する。以下の説明では、胴部に蛇腹部と裾絞り部を形成したボトルについて説明する。
【００２３】
図１は、本実施の形態のボトル１０の形状を示している。このボトル１０は、上から見てほぼ正方形状で、下方に位置する底部１１、側面を取り囲む胴部１２、上面を覆う肩部１４、肩部１４の中心から円柱状に突出する首部１３から構成され、首部１３には密封のためのキャップ３１が取り付けられている。底部１１は、文字通りボトル１０の底となる部分であり、単純な板状で、その外縁から壁状の胴部１２が上方に突出している。胴部１２は、底部１１寄りの裾絞り部２４と、この上の蛇腹部２１で構成され、裾絞り部２４は、底部１１に近づくに連れて断面が絞り込まれている。また蛇腹部２１は、複数の蛇腹２２が上下に積層された構造で、個々の蛇腹２２が押し潰されることで、蛇腹部２１の高さが減少する。
【００２４】
胴部１２の上には、ボトル１０を覆う肩部１４が形成されている。肩部１４は、首部１３に向けて突出する角錐状になっており、その強度を向上するため、複数のリブ２３が形成されている。なお底部１１から首部１３までのボトル１０全体は、ＰＥＴ樹脂を素材として一体的に製造されているが、キャップ３１は密封性を確保する必要があり、他の素材を使用している。キャップ３１の側面には割り溝３２が形成されており、これを引き裂くことで、首部１３からキャップ３１だけを離脱できる構造になっている。
【００２５】
図２は、図１に示すボトル１０の詳細を示しており、図２（Ａ）は上から見たもので、図２（Ｂ）は側面から見たものである。図２（Ａ）のように、ボトル１０は正方形を基調としているが、角部は円弧によって滑らかに結ばれているほか、肩部１４には計八列のリブ２３が放射状に配置されている。このリブ２３は、肩部１４を局地的に半円形に隆起させて形成したもので、単純な板状に比べて剛性が向上している。そのほかキャップ３１の中央には、ウォーターサーバーに組み込まれたパイプを差し込むため、連通孔３３が形成されている。
【００２６】
また図２（Ｂ）のように、ボトル１０は上から順に、首部１３、肩部１４、胴部１２、底部１１によって構成され、肩部１４の下の胴部１２は、単にボトル１０の側面を取り囲んでいるだけではなく、蛇腹部２１や裾絞り部２４が形成されている。なお肩部１４と胴部１２との境界は円弧によって滑らかに結ばれているが、この円弧部分は肩部１４の範囲とする。蛇腹部２１は、縦断面から見て「く」の字状に屈曲した蛇腹２２が計六列並んでおり、押し潰しやすい構造になっている。
【００２７】
蛇腹部２１よりも下は、底部１１に近づくに連れて先細りとなる裾絞り部２４が形成されている。このようにボトル１０の下部を裾絞り状にすることで、大気圧によって内部に向けて押し潰されやすくなる。なお裾絞り部２４と底部１１との境界も、円弧によって滑らかに結ばれているが、この円弧部分は裾絞り部２４の範囲とする。また底部１１は単純な板状だが、搬送時の取り扱いを考慮して、別途に製造した吊り手３４を組み込んでいる。この吊り手３４は底部１１に密着しているが、必要に応じて図の下方に引き出すことができる。なお本図において、裾絞り部２４の高さは、蛇腹部２１の高さの７２パーセントとなっており、効果的にボトル１０の容積を削減できる。
【００２８】
図３は図２と同様、図１に示すボトル１０の詳細を示しており、図３（Ａ）は図２（Ａ）のＡ?Ａ断面で、図３（Ｂ）は下から見たものである。図３（Ａ）に示すように、肩部１４および胴部１２を構成する樹脂の厚さは同一だが、蛇腹部２１は上下方向に対する伸縮性が向上しており、諸条件が揃えばボトル１０の体積は縮小していく。対する肩部１４は変形を抑制することが好ましく、リブ２３を形成して剛性を高めている。なお首部１３は、強度を確保するため厚さをやや増大させている。そのほかキャップ３１の中心には、連通孔３３を塞ぐための中栓３５が嵌め込まれており、また底部１１の中央には、吊り手３４を組み込むためのボス２５が形成されており、その周囲は強度を確保するため板厚を増大させている。
【００２９】
図４は、本実施の形態のボトル１０をウォーターサーバーＳに取り付けた状態を示しており、図４（Ａ）はボトル１０を取り付けた初期段階で、図４（Ｂ）は液体Ｗが消費され始めた段階である。本実施の形態のボトル１０は、図１などに示すように底部１１を床面に接触させて保管するが、ウォーターサーバーＳに取り付ける際は、上下を反転させて首部１３を下に向ける。なお本図ではウォーターサーバーＳの具体的な構造を描いていないが、中央にはボトル１０から液体Ｗを取り出すためのパイプＰを備えており、またボトル１０の肩部１４を載置するための支持台Ｈも備えている。そしてボトル１０には、良質の地下水などの各種液体Ｗを充填するが、その際、ある程度の空気Ａを残留させておく。この空気Ａは、衛生面に十分な配慮がされており、液体Ｗを劣化させることはない。したがって図４（Ａ）の初期段階においても、裾絞り部２４の大半は空気Ａで満たされることになる。
【００３０】
また肩部１４は、リブ２３によって剛性が向上しており、支持台Ｈと広範囲に接触できない場合でも、形状が大きく変わることはない。さらに胴部１２についても、ＰＥＴ樹脂を素材としているため、何らの支持部材を設けることなく形状を維持できる。
【００３１】
図４（Ａ）の初期段階の後、液体Ｗが徐々に消費されていく際、その消費分に対して外部から空気が入り込むことはない。したがってボトル１０は大気圧によって押し潰されていく。ところが、ボトル１０の内部にはまだ多量の液体Ｗがあり、その自重によって大気圧に対する反力が発生する。そのため、液面よりも上の部分が最も押し潰されやすく、図４（Ｂ）のように底部１１が陥没するように変形が進んでいく。
【００３２】
図５は、図４の後の状態を示しており、図５（Ａ）は液体Ｗの約半分が消費された段階で、図５（Ｂ）はほぼ全量が消費された段階である。図５（Ａ）では液面が蛇腹部２１のほぼ中央に達しており、液面よりも上に位置する蛇腹２２は、大気圧によって押し潰されており、さらに底部１１も蛇腹部２１の内部に引き込まれている。その後、液体Ｗの消費と共に蛇腹部２１がさらに潰れていき、最終的には図５（Ｂ）のように蛇腹部２１が完全に押し潰され、且つ蛇腹部２１の内部に底部１１や裾絞り部２４が引き込まれており、容積が大きく減少する。
【００３３】
以上、本発明のウォーターサーバー用ボトルについて、実施の形態を挙げて詳細に説明したが、本発明は上記した実施の形態に限定されるものではない。
【００３４】
上記した実施の形態において示したリブの本数や蛇腹部や裾絞り部の長さは一例であり、上記実施の形態と異なる設計とすることも可能である。
【図面の簡単な説明】
【００３５】
【図１】実施の形態のボトルの形状を示す斜視図である。
【図２】（Ａ）図１に示すボトル上面図である。（Ｂ）図１に示すボトルの側面図である。
【図３】（Ａ）図２（Ａ）のＡ−Ａ断面図である。（Ｂ）図１に示すボトルの底面図である。
【図４】（Ａ）ウォーターサーバーに取り付けた初期段階のボトルを示す図である。（Ｂ）液体が消費され始めた段階のボトルを示す図である。
【図５】（Ａ）液体の約半分が消費された段階のボトルを示す図である。（Ｂ）ほぼ全量が消費された段階のボトルを示す図である。
【符号の説明】
【００３６】
１０  ボトル
１１  底部
１２  胴部
１３  首部
１４  肩部
２１  蛇腹部
２２  蛇腹
２３  リブ
２４  裾絞り部
２５  ボス
３１  キャップ
３２  割り溝
３３  連通孔
３４  吊り手
３５  中栓
Ａ    空気
Ｈ    支持台
Ｐ    パイプ
Ｓ    ウォーターサーバー
Ｗ    液体
【図１】
2010042859.tif 000003
【図２】
2010042859.tif 000004
【図３】
2010042859.tif 000005
【図４】
2010042859.tif 000006
【図５】
2010042859.tif 000007